(57)【要約】【課題】  多数の人が出入りする場所に設置、使用し、不使用時には解体し折り畳んで保存するのに便利な、組立式簡易小便器セット、およびこれを組立てた組立式簡易小便器を提供すること。【解決手段】  第一発明および第三発明は、ダンボールまたは板紙を素材とした、平面形状が横長のほぼ長方形にされた板状体Ａ、平面形状が埴輪型の固定用板状体Ｂ、および、平面形状が横長のほぼ長方形にされた小便受け体Ｃ、の三部材のみによって構成される組立式簡易小便器セットを要旨とし、第二発明および第四発明は、これを組立てた組立式簡易小便器を要旨とする。【選択図】  図４
2007202755.tif 000002
【特許請求の範囲】
【請求項１】
ダンボールより構成された板状体Ａ、固定用板状体Ｂ、および、板紙より構成された小便受け体Ｃの三部材より構成されてなる組立式簡易小便器セットにおいて、
板状体Ａは、平面形状が横長のほぼ長方形にされ、長辺の中央部において長辺に対して直角に、谷折可能な中央折り目線（ａ１）と、長辺の両端部近傍に中央折り目線（ａ１）に平行で山折可能な左右折り目線（ａ２、ａ２’）とが形成され、中央折り目線（ａ１）と左右折り目線（ａ２、ａ２’）との中間部分に、長辺の上端から中央折り目線（ａ１）に平行で、中央折り目線の約１／３の長さの切欠き（ａ３、ａ３’）が形成され、谷折の折り目線（ａ１）と切り込み（ａ３、ａ３’）との間であって、谷折の折り目線（ａ１）を挟んで対象位置の上端部近傍に穴（ａ７、ａ７’）が設けられてなり、
板状体Ｂは、平面形状が、長方形型の胴部（ｂ１）、台形型の頭部（ｂ２）、および胴部（ｂ１）の幅方向の両端に腕部（ｂ３、ｂ３’）を有する埴輪型にされ、幅方向中央部に谷折可能な中央折り目線（ｂ８）が形成され、胴部（ｂ１）と台形型の頭部（ｂ２）との境には山折可能な折り目線（ｂ４）が形成され、台形型の頭部（ｂ２）の傾斜部には舌片（ｂ５、ｂ５’）が設けられ、腕部(ｂ３、ｂ３’)の先端側と胴部（ｂ１）との間には腕（ｂ３、ｂ３’）の長さの約１／３の長さの切欠き（ｂ６、ｂ６’）が形成され、胴部（ｂ１）の上方中央部には多数の小穴（ｂ７）が設けられてなり、
小便受け体Ｃは、平面形状が団扇型にされてなり、幅方向中央部に谷折可能な中央折り目線（ｃ１１）、左右下方斜辺の一方にのり代（ｃ１２）が形成されてなることを特徴とする組立式簡易小便器セット。
【請求項２】
ダンボールより構成された板状体Ａ、ダンボールより構成された板状体Ａ、固定用板状体Ｂ、および、板紙より構成された小便受け体Ｃの三部材より構成されてなる請求項１に記載の組立式簡易小便器セットを組立てた組立式簡易小便器であって、
中央折り目線（ａ１）と中央折り目線（ｂ８）とを重ね、かつ、前記板状体Ａの切欠き（ａ３、ａ３’）に固定用板状体Ｂの切欠き（ｂ６、ｂ６’）を嵌合させ、
前記小便受け体Ｃは中央折り目線（ｃ１１）で谷折され、一方ののり代（ｃ１２）を他方の下方斜辺に接着され、小便受け体Ｃの上部裏面が固定用板状体Ｂの多数の小穴（ｂ７）部分に接着剤を介して接着されてなり、
通常は上記三部材が中央折り目線（ａ１）、中央折り目線（ｂ８）および中央折り目線（ｃ１１）を谷折されて平面状に折り畳まれて、
使用時には、中央折り目線（ａ１）、中央折り目線（ｂ８）および中央折り目線（ｃ１）を支点としてＶ字状に開き、台形型の頭部（ｂ２）を山折して頭部（ｂ２）の傾斜部を板状体Ａの壁面に当接させ、かつ、舌片（ｂ５、ｂ５’）を穴（ａ７、ａ７’）に嵌合させて、板状体ＡのＶ字の開き角度を規制し、小便受け体Ｃが逆円垂体状に広げられてなることを特徴とする、組立式簡易小便器。
【請求項３】
板状体Ａ、固定用板状体Ｂ、および、小便受け体Ｃ’の三部材がダンボールまたは板紙により構成されてなる組立式簡易小便器セットにおいて、
平面形状が横長のほぼ長方形にされた板状体Ａは、長辺の中央部において長辺に対して直角に、谷折可能な中央折り目線（ａ１）と、長辺の両端部近傍に中央折り目線（ａ１）に平行で山折可能な左右折り目線（ａ２、ａ２’）とが形成され、中央折り目線（ａ１）と左右折り目線（ａ２、ａ２’）との中間部分に、長辺の上端から中央折り目線（ａ１）に平行で、中央折り目線の約１／３の長さの切欠き（ａ３、ａ３’）が形成され、谷折の折り目線（ａ１）と切り込み（ａ３、ａ３’）との間であって、谷折の折り目線（ａ１）を挟んで対象位置の上端部近傍に穴（ａ７、ａ７’）が設けられてなり、
板状体Ｂは、平面形状が、長方形型の胴部（ｂ１）、台形型の頭部（ｂ２）、および胴部（ｂ１）の幅方向の両端に腕部（ｂ３、ｂ３’）を有する埴輪型にされ、胴部（ｂ１）と台形型の頭部（ｂ２）との境には山折可能な折り目線（ｂ４）が形成され、台形型の頭部（ｂ２）の傾斜部には舌片（ｂ５、ｂ５’）が設けられ、腕部(ｂ３、ｂ３’)の先端側と胴部（ｂ１）との間には腕（ｂ３、ｂ３’）の長さの約１／３の長さの切欠き（ｂ６、ｂ６’）が形成され、胴部（ｂ１）の上方中央部には穴（ｂ７’）が設けられてなり、
小便受け体Ｃ’は、平面形状が横長のほぼ長方形にされてなり、長さ方向中央部に山折可能な中央折り目線（ｃ１）が形成され、中央折り目線（ｃ１）の下端を基点とし、上方に放射状に山折可能な折り目線（ｃ２、ｃ２’）、山折可能な折り目線（ｃ３、ｃ３’）、および、谷折可能な折り目線（ｃ４、ｃ４’）が形成され、長方形の短辺に達した折り目線（ｃ３）の端部と折り目線（ｃ４）の端部との間、長方形の短辺に達した折り目線（ｃ３’）の端部と折り目線（ｃ４、ｃ４’）の端部との間に、左右対称に耳部（ｃ５、ｃ５’）が形成にされ、耳部（ｃ５、ｃ５’）の付け根は山折可能な折り目線（ｃ６、ｃ６’）が設けられ、耳部（ｃ５、ｃ５’）の長さ方向の途中に山折可能な折り目線（ｃ７、ｃ７’）が設けられてなることを特徴とする、組立式簡易小便器セット。
【請求項４】
板状体Ａは、さらに、中央折り目線（ａ１）がその下端から短辺のほぼ中央部分に達する位置まで切り離された切り離し部（ａ４）とされ、切り離し部（ａ４）の上端部分から左右に直角に切り離された切り離し部（ａ５、ａ５’）が形成され、この切り離し部（ａ５、ａ５’）の先端で谷折の折り目線（ａ１）に平行に山折の折り目線（ａ６、ａ６’）が形成されてなる、請求項１または請求項２に記載の組立式簡易小便器セット。
【請求項５】
板状体Ａは、さらに、長辺の一方の端部の床面に接触する辺に突出した脚部（ａ８、ａ８’）が設けられ、この部分を山折の折り目線（ａ９、ａ９’）で折り曲げ、突出した脚部（ａ８、ａ８’）の先端には凹凸（ａ１０、ａ１０’）が設けられ、山折の折り目線（ａ９、ａ９’）を挟んで対応する箇所に、突出した脚部（ａ８、ａ８’）を折り目線（ａ９、ａ９’）で山折りした際に、凹凸（ａ１０、ａ１０’）を挿入する穴（ａ１１、ａ１１’）が設けられてなる、請求項１ないし請求項３にいずれか一項に記載の組立式簡易小便器セット。
【請求項６】
小便受け体Ｃ’は、さらに、耳部（ｃ５、ｃ５’）の長さ方向の途中に山折可能な折り目線（ｃ７、ｃ７’）が設けられ、折り目線（ｃ７、ｃ７’）の両先端の上方に舌片（ｃ８、ｃ８’）が設けられてなる、請求項１ないし請求項４いずれか一項に記載の組立式簡易小便器セット。
【請求項７】
小便受け体Ｃ’は、さらに、中央折り目線（ｃ１）の上方には切り込み（ｃ９）が形成され、この切り込み（ｃ９）の端から折り目線（ｃ２、ｃ２’）が長辺端に達した位置まで谷折可能な折り目線（ｃ１０、ｃ１０’）が形成されてなる、請求項１ないし請求項５のいずれか一項に記載の組立式簡易小便器セット。
【請求項８】
請求項１に記載の組立式簡易小便器セットを組立た組立式簡易小便器であって、前記板状体Ａを中央切り目（ａ１）で谷折し、山折可能な左右折り目線（ａ２、ａ２’）を山折りして自立させ、ついで、板状体Ａの切欠き（ａ３、ａ３’）に板状体Ｂの切欠き（ｂ６、ｂ６’）を嵌合させ、同時に台形状の頭部（ｂ２）を折り目線（ｂ４）で９０度の角度で山折し、傾斜部を板状体Ａに当接させ、頭部（ｂ２）の舌片（ｂ５、ｂ５’）を板状体Ａの穴（ａ７、ａ７’）に嵌合させて板状体ＡのＶ字の開き角度を規制し、  
つぎに、小便受け体Ｃ’の中央折り目線（ｃ１）で山折し、折り目線（ｃ２、ｃ２’）で山折し、折り目線（ｃ３、ｃ３’）でも山折し、折り目線（ｃ４、ｃ４’）で谷折し、かつ、折り目線（ｃ４、ｃ４’）を相互に当接させて逆六角錐状とし、折り目線（ｃ４、ｃ４’）と長辺の端とで囲まれた面の全面を上記板状体Ｂの胴部（ｂ１）表面に接触させ、耳部（ｃ５、ｃ５’）を折り目線（ｃ６、ｃ６’）で９０度の角度で山折して胴部（ｂ１）の穴（ｂ７’）に挿入し、小便受け体Ｃが板状体Ｂの胴部（ｂ１）に固定されてなることを特徴とする、組立式簡易小便器。
【請求項９】
板状体Ａの中央折り目線（ａ１）の下端から短辺のほぼ中央部分に達する切り離し部（ａ４）と、切り離し部（ａ４）の上端部分から左右に直角に形成された切り離し部（ａ５、ａ５’）と切り離し、折り目線（ａ６、ａ６’）を山折りして空間部を形成し、逆六角錐状とされた小便受け体Ｃ’の先端下側に、小便受け容器が配置されてなる、請求項７に記載の組立式簡易小便器。
【発明の詳細な説明】
【技術分野】
【０００１】
本発明は、組立式簡易小便器セット、およびこれを組立てた組立式簡易小便器に関する。さらに詳しくは、地震、台風、洪水、津波、雪害、火災、暴動その他の非常事態発生時における避難所や、キャンプ場、釣り場、スキー場、イベント会場などの多数の人が出入りする場所に設置して使用し、不要の際には折り畳んで保存するのに便利な、組立式簡易小便器セットおよびこれを組立た組立式簡易小便器に関する。
【背景技術】
【０００２】
多数の人が出入りする学校、体育館、公民館、公園などの公共施設、イベント会場などには、通常、常設トイレが設置されているが、その設置数はこの種公共施設やイベント会場などが通常使用される場合に適合するような数にされているにすぎない。地震、水害、雪害、津波、火災、暴動などの非常事態が発生した際に、多数の被災者に避難所用として主として上記公共施設が使用される場合や、イベント会場で特に多数の人が集まる特別なイベントが開催される場合には、これら避難所やイベント会場のトイレの数が不足するのが常である。この不足を解消する目的で、避難所やイベント会場の適所に、プレハブ式トイレを設置したり、高年齢者向けにはおまるなどの簡易トイレを設置したりする場合がある。
【０００３】
多数のプレハブ式トイレを設置する場合は、その製作または購入のコストが嵩む（コストの問題）、これを保管するための大容積の保管（備蓄）場所が必要である（保管場所の問題）、保管庫から避難所などへの運搬が必要である（運搬の問題）、使用場所に設置する場合には広い面積が必要である（面積の問題）、部材が多く組立作業が煩雑である（作業性の問題）などの多くの問題がある。これら多くの問題の一部を解決したものとして、組立式簡易トイレが提案されている（特許文献１、特許文献２、特許文献３、特許文献４）。
【特許文献１】特開平９−２２０１７３号公報
【特許文献２】特開平１０−１９２１８９号公報
【特許文献３】特開平１１−８９７５０号公報
【特許文献４】特開２００５−４６３３９号公報
【０００４】
しかしながら、上記組立式簡易トイレは総て座式の便器であり、男子向けの小便器専用のものではない。男子が小用する場合にも、座式の便器を使用することができるが、組立式簡易トイレが不足している場合には、男子小用だけの組立式簡易小便器を設置することにより、座式の便器を有効に活用することができるようになると予測されるが、これまで男子小用だけの組立式簡易小便器は提案されていなかった。
【発明の開示】
【発明が解決しようとする課題】
【０００５】
本発明者は、かかる状況に鑑み、従来技術の上記の諸問題を一挙に排除した改良技術を提供すべく鋭意検討した結果、本発明を完成するに至ったものである。本発明は、上記コストの問題、保管（備蓄）の問題、運搬の問題、面積の問題、作業性の問題などの多くの問題を、一挙に解決した組立式簡易小便器を提供することを目的とする。
【課題を解決するための手段】
【０００６】
上記課題を解決するために、第一本発明では、ダンボールより構成された板状体Ａ、固定用板状体Ｂ、および、板紙より構成された小便受け体Ｃの三部材より構成されてなる組立式簡易小便器セットにおいて、
板状体Ａは、平面形状が横長のほぼ長方形にされ、長辺の中央部において長辺に対して直角に、谷折可能な中央折り目線（ａ１）と、長辺の両端部近傍に中央折り目線（ａ１）に平行で山折可能な左右折り目線（ａ２、ａ２’）とが形成され、中央折り目線（ａ１）と左右折り目線（ａ２、ａ２’）との中間部分に、長辺の上端から中央折り目線（ａ１）に平行で、中央折り目線の約１／３の長さの切欠き（ａ３、ａ３’）が形成され、谷折の折り目線（ａ１）と切り込み（ａ３、ａ３’）との間であって、谷折の折り目線（ａ１）を挟んで対象位置の上端部近傍に穴（ａ７、ａ７’）が設けられてなり、
板状体Ｂは、平面形状が、長方形型の胴部（ｂ１）、台形型の頭部（ｂ２）、および胴部（ｂ１）の幅方向の両端に腕部（ｂ３、ｂ３’）を有する埴輪型にされ、幅方向中央部に谷折可能な中央折り目線（ｂ８）が形成され、胴部（ｂ１）と台形型の頭部（ｂ２）との境には山折可能な折り目線（ｂ４）が形成され、台形型の頭部（ｂ２）の傾斜部には舌片（ｂ５、ｂ５’）が設けられ、腕部(ｂ３、ｂ３’)の先端側と胴部（ｂ１）との間には腕（ｂ３、ｂ３’）の長さの約１／３の長さの切欠き（ｂ６、ｂ６’）が形成され、胴部（ｂ１）の上方中央部には多数の小穴（ｂ７）が設けられてなり、
小便受け体Ｃは、平面形状が団扇型にされてなり、幅方向中央部に谷折可能な中央折り目線（ｃ１１）、左右下方斜辺の一方にのり代（ｃ１２）が形成されてなることを特徴とする組立式簡易小便器セットを提供する。
【０００７】
さらに第二発明では、ダンボールより構成された板状体Ａ、ダンボールより構成された板状体Ａ、固定用板状体Ｂ、および、板紙より構成された小便受け体Ｃの三部材より構成されてなる請求項１に記載の組立式簡易小便器セットを組立てた組立式簡易小便器であって、
中央折り目線（ａ１）と中央折り目線（ｂ８）とを重ね、かつ、前記板状体Ａの切欠き（ａ３、ａ３’）に固定用板状体Ｂの切欠き（ｂ６、ｂ６’）を嵌合させ、
前記小便受け体Ｃは中央折り目線（ｃ１１）で谷折され、一方ののり代（ｃ１２）を他方の下方斜辺に接着され、小便受け体Ｃの上部裏面が固定用板状体Ｂの多数の小穴（ｂ７）部分に接着剤を介して接着されてなり、
通常は上記三部材が中央折り目線（ａ１）、中央折り目船（ｂ８）および中央折り目線（ｃ１１）を谷折されて平面状に折り畳まれて、
使用時には、中央折り目線（ａ１）、中央折り目線（ｂ８）および中央折り目線（ｃ１１）を支点としてＶ字状に開き、台形型の頭部（ｂ２）を山折して頭部（ｂ２）の傾斜部を板状体Ａの壁面に当接させ、かつ、舌片（ｂ５、ｂ５’）を穴（ａ７、ａ７’）に嵌合させて、板状体ＡのＶ字の開き角度を規制し、小便受け体Ｃが逆円垂体状に広げられてなることを特徴とする、組立式簡易小便器を提供する。
【０００８】
また第三発明では、板状体Ａ、固定用板状体Ｂ、および、小便受け体Ｃ’の三部材がダンボールまたは板紙により構成されてなる組立式簡易小便器セットにおいて、
平面形状が横長のほぼ長方形にされた板状体Ａは、長辺の中央部において長辺に対して直角に、谷折可能な中央折り目線（ａ１）と、長辺の両端部近傍に中央折り目線（ａ１）に平行で山折可能な左右折り目線（ａ２、ａ２’）とが形成され、中央折り目線（ａ１）と左右折り目線（ａ２、ａ２’）との中間部分に、長辺の上端から中央折り目線（ａ１）に平行で、中央折り目線の約１／３の長さの切欠き（ａ３、ａ３’）が形成され、谷折の折り目線（ａ１）と切り込み（ａ３、ａ３’）との間であって、谷折の折り目線（ａ１）を挟んで対象位置の上端部近傍に穴（ａ７、ａ７’）が設けられてなり、
板状体Ｂは、平面形状が、長方形型の胴部（ｂ１）、台形型の頭部（ｂ２）、および胴部（ｂ１）の幅方向の両端に腕部（ｂ３、ｂ３’）を有する埴輪型にされ、胴部（ｂ１）と台形型の頭部（ｂ２）との境には山折可能な折り目線（ｂ４）が形成され、台形型の頭部（ｂ２）の傾斜部には舌片（ｂ５、ｂ５’）が設けられ、腕部(ｂ３、ｂ３’)の先端側と胴部（ｂ１）との間には腕（ｂ３、ｂ３’）の長さの約１／３の長さの切欠き（ｂ６、ｂ６’）が形成され、胴部（ｂ１）の上方中央部には穴（ｂ７’）が設けられてなり、
小便受け体Ｃ’は、平面形状が横長のほぼ長方形にされてなり、長さ方向中央部に山折可能な中央折り目線（ｃ１）が形成され、中央折り目線（ｃ１）の下端を基点とし、上方に放射状に山折可能な折り目線（ｃ２、ｃ２’）、山折可能な折り目線（ｃ３、ｃ３’）、および、谷折可能な折り目線（ｃ４、ｃ４’）が形成され、長方形の短辺に達した折り目線（ｃ３）の端部と折り目線（ｃ４）の端部との間、長方形の短辺に達した折り目線（ｃ３’）の端部と折り目線（ｃ４、ｃ４’）の端部との間に、左右対称に耳部（ｃ５、ｃ５’）が形成にされ、耳部（ｃ５、ｃ５’）の付け根は山折可能な折り目線（ｃ６、ｃ６’）が設けられ、耳部（ｃ５、ｃ５’）の長さ方向の途中に山折可能な折り目線（ｃ７、ｃ７’）が設けられてなることを特徴とする、組立式簡易小便器セット
【０００９】
またさらに、第四発明では、請求項１に記載の組立式簡易小便器セットを組立た組立式簡易小便器であって、前記板状体Ａを中央切り目（ａ１）で谷折し、山折可能な左右折り目線（ａ２、ａ２’）を山折りして自立させ、ついで、板状体Ａの切欠き（ａ３、ａ３’）に板状体Ｂの切欠き（ｂ６、ｂ６’）を嵌合させ、同時に台形状の頭部（ｂ２）を折り目線（ｂ４）で９０度の角度で山折し、傾斜部を板状体Ａに当接させ、頭部（ｂ２）の舌片（ｂ５、ｂ５’）を板状体Ａの穴（ａ７、ａ７’）に嵌合させて板状体ＡのＶ字の開き角度を規制し、  
つぎに、小便受け体Ｃ’の中央折り目線（ｃ１）で山折し、折り目線（ｃ２、ｃ２’）で山折し、折り目線（ｃ３、ｃ３’）でも山折し、折り目線（ｃ４、ｃ４’）で谷折し、かつ、折り目線（ｃ４、ｃ４’）を相互に当接させて逆六角錐状とし、折り目線（ｃ４、ｃ４’）と長辺の端とで囲まれた面の全面を上記板状体Ｂの胴部（ｂ１）表面に接触させ、耳部（ｃ５、ｃ５’）を折り目線（ｃ６、ｃ６’）で９０度の角度で山折して胴部（ｂ１）の穴（ｂ７’）に挿入し、小便受け体Ｃが板状体Ｂの胴部（ｂ１）に固定されてなることを特徴とする、組立式簡易小便器を提供する。
【発明の効果】
【００１０】
本発明は、以下に詳細に説明するとおりであり、次のような特別に有利な効果を奏し、その産業上の利用価値は極めて大である。
１．本発明に係る組立式簡易小便器セットは、ダンボールまたは板紙によって構成されているので、従来の組立式簡易トイレと比較して、製作が容易でコストが嵩まない。
２．本発明に係る組立式簡易小便器セットは、構成部材が少ないので、製作、部材の梱包、輸送、保管などの管理が容易であり、かつ、組立作業、解体作業などが極めて容易である。
３．本発明に係る組立式簡易小便器セットは、ダンボールまたは板紙によって構成されているので、軽量で、体積が嵩張らず、不使用時には嵩張らないように折畳んで体積を減らして保管でき、繰り返し使用することができるし、廃棄する場合でもダンボールまたは板紙によって構成されているので、焼却処分し易い。
４．本発明の第二発明に係る組立式簡易小便器は、不使用時には平板状に折り畳むことができ、使用時には谷折した中央折り目線をＶ字状に開くことにより、小便受け体Ｃが逆円垂体状に広げられるので、そのまま自立させて簡易小便器として使用できる。
５．本発明に係る組立式簡易小便器は、組立てる際に釘などの固定具を使用しないので、敷設場所の床面に傷を付けることがない。
６．本発明に係る組立式簡易小便器は、段ボールまたは板紙の少なくとも一方の表面に、マイナスイオンを発生するインク、難燃剤、消臭剤、芳香剤の中から選ばれたものを一種以上組合せて塗布しておくと、設置空間の環境を好適な状態に維持できる。
７．本発明に係る組立式簡易小便器は、未熟者であっても、短時間で組立てることができる。
【発明を実施するための最良の形態】
【００１１】
以下、本発明を詳細に説明する。
本発明に係る組立式簡易小便器セットは、ダンボールまたは板紙を素材とする。板状体A、板状体B、小便受け体Ｃ、および、小便受け体Ｃ’を構成するダンボールは、中央部分に中芯原紙を配置し、中芯原紙の両側にライナー原紙を貼着した三層構造、またはこの三層構造のものに中芯原紙とライナー原紙を貼着した五層構造のものをいう。板紙またはライナー原紙としては、クラフトパルプを原料とした紙、ジュート紙などが使用される。中芯原紙としては、パルプ芯、古紙を原料とした特芯などが挙げられる。板紙またはライナー原紙は、表面に樹脂を含侵させたもの、樹脂フィルムを積層したもの、セラミックを塗布したもの、または他の耐水性材料によって処理して、耐水性機能を付与する。またその他の機能を付与する処理をすることができ、機能付与処理としては、マイナスイオンを発生する着色剤、難燃剤、消臭剤、芳香剤などが挙げられ、これらの中から選ばれた一種以上を溶媒に溶解し塗布することができる。小便受け体Ｃ、小便受け体Ｃ’は、耐水処理した板紙で構成するのが好ましい。
【００１２】
本発明に係る組立式簡易小便器セットは、平面形状が横長のほぼ長方形にされた板状体Ａ、平面形状が埴輪型の固定用板状体Ｂ、および、平面形状が横長のほぼ長方形にされた小便受け体Ｃまたは小便受け体Ｃ’の三部材より構成される。ほぼ長方形とは、正確な長方形ではなく、長辺および／または短辺に、若干の付加部分が連続して設けられているものも含むことを意味する。板状体Ａは、組立式簡易小便器セットの自立した壁面を構成し、固定用板状体Ｂを掛止する機能を果たす。
【００１３】
平面形状が横長のほぼ長方形にされた板状体Ａは、上記のダンボールより構成され、その厚さは３〜１０ｍｍ、横幅１００〜２００ｃｍ、高さ１００〜１５０ｃｍのものが好ましい。板状体Ａは、長辺の中央部において長辺に対して直角に、谷折可能な中央折り目線（ａ１）と、長辺の両端部近傍に中央折り目線（ａ１）に平行で山折可能な左右折り目線（ａ２、ａ２’）とが形成され、中央折り目線（ａ１）と左右折り目線（ａ２、ａ２’）との中間部分に、長辺の上端から中央折り目線（ａ１）に平行で、中央折り目線の約１／３の長さ切欠き（ａ３、ａ３’）が形成されてなる。谷折の中央折り目線（ａ１）を谷折してV字状にする際の角度は、３５度〜６０度の範囲で選ぶことができ、中でも４０度〜５０度の範囲が好適である。山折可能な左右折り目線（ａ２、ａ２’）を山折する際の角度は、８０〜１１０度での範囲で選ぶことができ、中でも９０度が好適である。
【００１４】
中央折り目線（ａ１）と切り欠き（ａ３、ａ３’）との間であって、中央折り目線（ａ１）を挟んで対象の位置に、上端部近傍に穴（ａ７、ａ７’）が設けられてなる。これら穴（ａ７、ａ７’）には、後記する固定用板状体Ｂの頭部（ｂ２）に設けられた耳部（ｂ５、ｂ５’）を掛止し、中央折り目線（ａ１）部分のV字の開き角度を規制する。
【００１５】
中央折り目線（ａ１）は、その下端から短辺（高さ）のほぼ中央部分に達する位置まで切り離された切り離し部（ａ４）とし、切り離し部（ａ４）の上端部分から左右に切り離された切り離し部（ａ５、ａ５’）で長さ方向に平行に切り離し、この切り離し部（ａ５、ａ５’）の先端で谷折の折り目線（ａ１）に平行に山折の折り目線（ａ６、ａ６’）を形成することができる。これら山折の折り目線（ａ６、ａ６’）部分は、山折されて空間部分を形成し、このように形成された空間部分に小便受け器を配置することができる。
【００１６】
板状体Ａは、平面形状が長方形の設置面に接触する辺に突出した脚部（ａ８、ａ８’）を設け、この部分を山折の折り目線（ａ９、ａ９’）で折り曲げ、設置面に接触する部分を補強することができる。突出した脚部（ａ８、ａ８’）の先端には凹凸（ａ１０、ａ１０’）を設け、山折の折り目線（ａ９、ａ９’）を挟んで対応する箇所に、突出した脚部（ａ８、ａ８’）を折り目線（ａ９、ａ９’）で山折りした際に、凹凸（ａ１０、ａ１０’）を挿入する穴（ａ１１、ａ１１’）を設けることもできる。板状体Ａの幅方向の両端部と折り目線（ａ２、ａ２’）に囲まれた面の上方には装飾用の切り込み部（ａ１２、ａ１２’）、下方には通気用の切り込み部（ａ１３、ａ１３’）を設けることができる。
【００１７】
板状体Ｂは、Ｖ字状に立脚された板状体ＡのＶ字の角度を規制し、同時に、後記する小便受け体Ｃを固定する機能を果たす。板状体Ｂは、平面形状が、長方形型の胴部（ｂ１）、台形型の頭部（ｂ２）、および胴部（ｂ１）の幅方向の両端に腕部（ｂ３、ｂ３’）を有する埴輪型にする。胴部（ｂ１）と台形型の頭部（ｂ２）との境には山折可能な折り目線（ｂ４）が形成され、台形型の頭部（ｂ２）の傾斜部には舌片（ｂ５、ｂ５’）が設けられ、腕部(ｂ３、ｂ３’)の先端側と胴部（ｂ１）との間には腕（ｂ３、ｂ３’）の長さの約１／３の長さの切欠き（ｂ６、ｂ６’）が形成される。腕（ｂ３、ｂ３’）の切欠き（ｂ６、ｂ６’）は、上記板状体Ａの切欠き（ａ３、ａ３’）に嵌合させ、台形型の頭部（ｂ２）を折り目線４で山折して台形の傾斜面をＶ字に折り曲げた板状体Ａに当接させ、舌片（ｂ５、ｂ５’）を板状体Ａの穴（ａ７、ａ７’）に嵌合させ、板状体ＡのＶ字の開き角度を規制する。胴部（ｂ１）の上方であって幅方向の中央部には、多数の小穴（ｂ７）（第一発明および第二発明の場合）、または、穴（ｂ７’）（第三発明および第四発明の場合）を設ける。この多数の小穴（ｂ７）は小便受け体Ｃを接着する接着剤を充填し、アンカー（錨）にように機能する。穴（ｂ７’）は、後記する小便受け体Cの耳部（５ｃ、５ｃ’）を挿入し、小便受け体Cを板状体Bに固定する。
【００１８】
第一発明および第二発明用の小便受け体Ｃは、平面形状が団扇型にされてなり、幅方向中央部に谷折可能な中央折り目線（ｃ１１）、左右下方斜辺の一方にのり代（ｃ１２）が形成されている。小便受け体Ｃ中央折り目線（ｃ１１）は、板状体Ｂの中央折り目線に重ねて、一方ののり代（ｃ１２）を他方の下方斜辺に接着され、小便受け体Ｃの上部裏面が固定用板状体Ｂの多数の小穴（ｂ７）部分に接着剤を介して接着されている。小便受け体Ｃがこの構造にされていると、不使用時には三部材が中央折り目線（ａ１）、中央折り目線（ｂ８）、および中央折り目線（ｃ１１）がそれぞれ谷折されて平面状に折り畳み可能にされている。使用時に板状体Ａの谷折された部分をＶ字状に開くと、固定用板状体Ｂ、小便受け体Ｃも同時に開き、小便受け体Ｃは上側開口部が広げられ逆円垂体状にされる。
【００１９】
次に、第一発明に係る組立式簡易小便器セットから、第二発明に係る組立式簡易小便器を組立てる例を説明する。まず、中央折り目線（ａ１）と中央折り目線（ｂ８）とを重ね、かつ、前記板状体Ａの切欠き（ａ３、ａ３’）に固定用板状体Ｂの切欠き（ｂ６、ｂ６’）を嵌合させる。また、前記小便受け体Ｃは中央折り目線（ｃ１１）で谷折して平坦にされた状態で、一方ののり代（ｃ１２）を他方の下方斜辺に接着し、小便受け体Ｃの上部裏面を固定用板状体Ｂの多数の小穴（ｂ７）部分に接着剤を介して接着する。上記三部材は、中央折り目線（ａ１）、中央折り目線（ｂ８）および中央折り目線（ｃ１１）を谷折されて平面状に折り畳まれるようにする。
【００２０】
使用時には、中央折り目線（ａ１）、中央折り目線（ｂ８）および中央折り目線（ｃ１１）を支点としてＶ字状に開き、台形型の頭部（ｂ２）を山折して頭部（ｂ２）の傾斜部を板状体Ａの壁面に当接させる。この際、頭部（ｂ２）の傾斜部に設けられている舌片（ｂ５、ｂ５’）を、板状体Aの穴（ａ７、ａ７’）に嵌合させて、板状体ＡのＶ字の開き角度を規制し、同時に小便受け体Ｃが逆円垂体状に広げられる（後記図４参照）。
【００２１】
第三発明および第四発明用の小便受け体Ｃ’は、平面形状が横長のほぼ長方形にされ、折り目線で折り曲げられて逆六角錐状にされて上記板状体Ｂの胴部（ｂ１）に固定され、小便を角錐状の下方側（先端側）に導く機能を果たす。小便受け体Ｃ’は、平面形状が横長のほぼ長方形であって、長さ方向中央部に山折可能な中央折り目線（ｃ１）が形成され、中央折り目線（ｃ１）の下端を基点とし、上方に放射状に山折可能な折り目線（ｃ２、ｃ２’）、山折可能な折り目線（ｃ３、ｃ３’）および谷折可能な折り目線（ｃ４、ｃ４’）が形成されている。折り目線（ｃ２、ｃ２’）が形成する角度は４０度〜６５度の範囲で選び、折り目線（ｃ３、ｃ３’）が形成する角度は１２０度〜１４０度の範囲で選び、折り目線（ｃ４、ｃ４’）が形成する角度は１５５度〜１６５度の範囲で選ぶのが好ましい。
【００２２】
ほぼ長方形の板状体の短辺に達した折り目線（ｃ３）の端部と折り目線（ｃ４）の端部との間、長方形の短辺に達した折り目線（ｃ３’）の端部と折り目線（ｃ４、ｃ４’）の端部との間に、ほぼ長方形の板状体に連接させて左右対称に耳部（ｃ５、ｃ５’）が形成にされ、耳部（ｃ５、ｃ５’）の付け根は山折可能な折り目線（ｃ６、ｃ６’）が設けられ、耳部（ｃ５、ｃ５’）の長さ方向の途中に山折可能な折り目線（ｃ７、ｃ７’）が設けることもできる。折り目線（ｃ７、ｃ７’）の両先端の上方に舌片（ｃ８、ｃ８’）が設けられ、中央折り目線（ｃ１）の上方には切り込み（ｃ９）が形成され、この切り込み（ｃ９）の端から折り目線（ｃ２、ｃ２’）が長辺端に達した位置まで谷折可能な折り目線（ｃ１０、ｃ１０’）を形成することができる。
【００２３】
第三発明係る組立式簡易小便器セットから、第四発明に係る組立式簡易小便器を組立てる例を説明する。まず、前記板状体Ａを中央切り目（ａ１）で谷折し、山折可能な左右折り目線（ａ２、ａ２’）を山折りして自立させる。ついで、板状体Ａの切欠き（ａ３、ａ３’）に、上側から板状体Ｂの切欠き（ｂ６、ｂ６’）を嵌合させ、同時に台形状の頭部（ｂ２）を折り目線（ｂ４）で９０度の角度で山折し、傾斜部を板状体Ａに当接させ、頭部（ｂ２）の舌片（ｂ５、ｂ５’）を板状体Ａの穴（ａ７、ａ７’）に嵌合させ、板状体ＡのＶ字の開き角度を規制する。板状体Ａの穴（ａ７、ａ７’）に嵌合させた舌片（ｂ５、ｂ５’）は、突出した先端を折り曲げると、一層確実に固定される。
【００２４】
つぎに、小便受け体Ｃ’の中央折り目線（ｃ１）で山折し、折り目線（ｃ２、ｃ２’）で山折し、折り目線（ｃ３、ｃ３’）でも山折し、折り目線（ｃ４、ｃ４’）で谷折し、折り目線（ｃ４、ｃ４’）を当接させて逆六角錐状とし、折り目線（ｃ４、ｃ４’）と長辺の端とで囲まれた部分の全面を上記板状体Ｂの胴部（ｂ１）に接触させ、耳部（ｃ５、ｃ５’）を折り目線（ｃ６、ｃ６’）で９０度の角度で山折して胴部（ｂ１）の穴（ｂ７’）に挿入し、小便受け体Ｃが板状体Ｂの胴部（ｂ１）に固定される。
【００２５】
耳部（ｃ５、ｃ５’）の付け根は山折可能な折り目線（ｃ６、ｃ６’）が設けられ、耳部（ｃ５、ｃ５’）の長さ方向の途中に山折可能な折り目線（ｃ７、ｃ７’）が設けられ、折り目線（ｃ７、ｃ７’）の両先端の上方に舌片（ｃ８、ｃ８’）が設けられた構造とするのが好ましい。
【００２６】
小便受け体Ｃ’は、さらに、中央折り目線（ｃ１）の上方には切り込み（ｃ９）が形成され、この切り込み（ｃ９）の端から折り目線（ｃ２、ｃ２’）が長辺端に達した位置まで谷折可能な折り目線（ｃ１０、ｃ１０’）を形成しておくと、小便受け体Ｃの開口部の上側がラッパ状に広がり、折り目線（ｃ１０、ｃ１０’）が形成された面が外側に広がらないように補強し、好適である。
【００２７】
板状体Ａの中央折り目線（ａ１）は、その下端から短辺のほぼ中央部分に達する位置まで切り離し部（ａ４）を切り離し、切り離し部（ａ５、ａ５’）も切り離し、折り目線（ａ６、ａ６’）を山折りして形成された空間部であって、逆六角錐状とされた小便受け体Ｃ’の先端下側に、小便受け容器を配置するのが好ましい。小便受け容器としては、プラスチック製瓶、プラスチック製缶、プラスチック製袋、ゴム製袋、ガラス瓶、灯油缶など、他の目的で使用されている既存の容器が挙げられる。
【００２８】
本発明に係る組立式簡易小便器セットは、一個でまたは複数個組合せて使用することができる。複数個組合せる際には、一列に配列するか、または複数個で多角形上の区画として、一個の板状体Ａの幅方向端部と折り目線（ａ２’）に囲まれた面に、他の板状体Ａの幅方向両端部と折り目線（ａ２）に囲まれた面を重ね、クリップなどの固定具で固定すればよい。
【００２９】
本発明に係る組立式簡易小便器セットは、ダンボールまたは板紙によって構成されており、構成部材が三種類と少なく、ダンボールまたは板紙の打抜き、折り目線付けによって容易に製造でき、従来の組立式簡易トイレと比較して、製作が容易でコストが嵩まない。また、不使用時には折り畳んで保管（備蓄）できるので、保管場所の問題が解決できる。さらに、軽量であるので保管庫から使用場所への運搬が容易で運搬の問題が解決でき、構成部材が少ないので組立、解体などの作業が容易であるなど、従来の問題が一挙に解決できる。使用後廃棄する場合でも、ダンボールまたは板紙によって構成されているので、焼却処分し易い。
【実施例】
【００３０】
以下、本発明を図面に基いて詳細に説明するが、本発明はその趣旨を超えない限り、以下の記載例に限定されるものではない。
【００３１】
図１は、本発明に係る組立式簡易小便器セットを構成する板状体Ａの一例の平面図、図２は、組立式簡易小便器セットを構成する板状体Bの一例の平面であり、図３は、組立式簡易小便器セットを構成する小便受け体Ｃの一例の平面図であり、図４は、第二発明に係る組立式簡易小便器の一例の斜視図である。図５は、組立式簡易小便器セットを構成する小便受け体C’の一例の展開平面図であり、図６は、第四本発明に係る組立式簡易小便器の一例の斜視図である。
【００３２】
図１は、本発明に係る組立式簡易小便器セットを構成する板状体Ａの一例の平面図であり、厚さが５ｍｍ、幅１２００ｍｍ、高さ１０７０ｍｍのダンボールを、打抜き機、折り目線付け機によって、図１に示した形状にした。幅方向中央部に谷折可能な中央折り目線（ａ１）と、長辺の両端部から１２０ｍｍの箇所に中央折り目線（ａ１）に平行で山折可能な左右折り目線（ａ２、ａ２’）が形成されている。中央折り目線（ａ１）を４５度の角度に谷折し、左右折り目線（ａ２、ａ２’）を９０度に山折することによって、板状体Ａは長辺の一方の端部を下にして、床面などに自立させることができる。
【００３３】
中央折り目線（ａ１）と左右折り目線（ａ２、ａ２’）との中間部分に、長辺の上端から中央折り目線（ａ１）に平行に、長さ３００ｍｍ、幅５ｍｍの切欠き（ａ３、ａ３’）が形成されている。切欠き（ａ３、ａ３’）には、埴輪状板状体Ｂの腕（ｂ３、ｂ３’）の切欠き（ｂ６、ｂ６’）が嵌合される。央折り目線（ａ１）と切り込み（ａ３、ａ３’）との間であって、中央折り目線（ａ１）を挟んで対象の位置に、上端部近傍に穴（ａ７、ａ７’）が設けられている。穴（ａ７、ａ７’）には、埴輪状板状体Ｂの台形型の頭部（ｂ２）傾斜部に設けられた舌片（ｂ５、ｂ５’）が挿入される。切欠き（ａ３、ａ３’）と切欠き（ｂ６、ｂ６’）との嵌合と、穴（ａ７、ａ７’）への舌片（ｂ５、ｂ５’）が挿入によって、板状体Ａの中央折り目線（ａ１）を谷折する際のＶ字の開き角度が規制される。
【００３４】
板状体Ａには、さらに、中央折り目線（ａ１）がその下端から短辺のほぼ中央部分に達する位置まで切り離された切り離し部（ａ４）とされ、切り離し部（ａ４）の上端部分から左右に直角に切り離された切り離し部（ａ５、ａ５’）を形成し、この切り離し部（ａ５、ａ５’）の先端で谷折の折り目線（ａ１）に平行に山折の折り目線（ａ６、ａ６’）を形成することができる。各切り離し部で切り離し、折り目線（ａ６、ａ６’）で山折すると空間ができるので、この空間に小便受け容器を配置することができる。
【００３５】
板状体Ａには、さらにまた、長辺の一方の端部(下方)に床面に接触する脚部（ａ８、ａ８’）を設け、この部分を山折の折り目線（ａ９、ａ９’）で折り曲げ、突出した脚部（ａ８、ａ８’）の先端には凹凸（ａ１０、ａ１０’）を設け、山折の折り目線（ａ９、ａ９’）を挟んで対応する箇所に、突出した脚部（ａ８、ａ８’）を折り目線（ａ９、ａ９’）で山折りした際に、凹凸（ａ１０、ａ１０’）を挿入する穴（ａ１１、ａ１１’）を設けることができる。また、板状体Ａの幅方向の両端部と折り目線（ａ２、ａ２’）に囲まれた面の上方には装飾用の切り込み部（ａ１２、ａ１２’）、下方には通気用の切り込み部（ａ１３、ａ１３’）を設けることができる。このような構造の板状体Aは、第三発明および第四発明においても同じ構造とすることができる。
【００３６】
図２は、組立式簡易小便器セットを構成する板状体Bの一例の平面である。板状体Ｂは、長さ５８６ｍｍ、幅３７０ｍｍの長方形のダンボールを、打抜き機、折り目線付け機によって、図２に示した胴部（ｂ１）、台形型の頭部（ｂ２）、胴部（ｂ１）の幅方向の両端に腕部（ｂ３、ｂ３’）を有する埴輪型とし、胴部（ｂ１）と台形型の頭部（ｂ２）との境には山折可能な折り目線（ｂ４）を形成した。台形型の胴部（ｂ１）は肩幅３７０ｍｍ、下方幅２７０ｍｍとされ、頭部（ｂ２）は下辺２７８ｍｍ、上辺１５６ｍｍ、高さ６６ｍｍ、舌片の幅３７ｍｍ、長さ６ｍｍとされ、腕部は幅４０ｍｍとされ、切り欠きは長さ９０ｍｍ、幅１０ｍｍとされている。
【００３７】
胴部（ｂ１）の上方中央部には、第一発明および第二発明用では、２０ｍｍ×２００ｍｍの大きさの中に、直径が２〜５ｍｍの多数の小穴を、１０ｍｍ間隔で設けるのがよい。この多数の小穴（ｂ７）は、機能性付与処理されたライナー原紙表面と、小便受け体Cと接着剤によって接着する際に、前記したとおり、接着剤を充填してアンカー（錨）にように機能し接着強度を向上させる。
【００３８】
胴部（ｂ１）の上方中央部には、第三発明および第四発明用には、５ｍｍ×２００ｍｍの大きさの穴（ｂ７’）を設けるのがよい。この穴（ｂ７’）には、小便受け体Cの耳部（ｃ５、ｃ５’）を折り目線（ｃ６、ｃ６’）で９０度の角度で山折して挿入することにより、小便受け体Ｃが板状体Ｂの胴部（ｂ１）に固定される。
【００３９】
図３は、組立式簡易小便器セットを構成する小便受け体Ｃの一例の平面図である。小便受け体Ｃは、平面形状が団扇型にされており、その幅方向中央には、谷折できる中央折り目線、幅方向中央部に谷折可能な中央折り目線（ｃ１１）、左右下方斜辺の一方にのり代（ｃ１２）が形成されている。この小便受け体Ｃは、厚さが５ｍｍの板紙より構成され、幅が５８０ｍｍ、高さが４８５ｍｍ、上辺の幅が５８０ｍｍ、下辺の幅が７０ｍｍ、のり代の幅が２５ｍｍとされている。小便受け体Ｃは中央折り目線（ｃ１１）で谷折され、一方ののり代（ｃ１２）を他方の下方斜辺に接着され、小便受け体Ｃの上部裏面が固定用板状体Ｂの多数の小穴（ｂ７）部分に接着剤を介して接着される。
【００４０】
図４は、第二発明に係る組立式簡易小便器の一例の斜視図である。谷折された中心折り目をV字状に開き、板状体Bの頭部を９０度山折し、傾斜辺を板状体Ａに当接させ、穴（ａ７、ａ７’）に舌片（ｂ５、ｂ５’）を挿入することによって、板状体Ａの中央折り目線（ａ１）を谷折する際のＶ字の開き角度を規制した。同時に小便受け体Ｃが、逆円垂体状に広げられる。この第二発明に係る組立式簡易小便器は、使用時には谷折した中央折り目線をＶ字状に開くことにより、小便受け体Ｃが逆円垂体状に広げられるので、そのまま自立させて簡易小便器として使用できる。
【００４１】
図５は、組立式簡易小便器セットを構成する小便受け体C’の一例の平面図である。小便受け体Ｃ’は、長さ１０４０ｍｍ、幅３９０ｍｍのダンボールを、打抜き機、折り目線付け機によって、図３に示した形状にした。小便受け体Ｃには、長さ方向中央部に山折可能な中央折り目線（ｃ１）を形成し、中央折り目線（ｃ１）の下端を基点とし、上方に６０度の角度として山折可能な折り目線（ｃ２、ｃ２’）と、上方に１３０度の角度として山折可能な折り目線（ｃ３、ｃ３’）、および、上方に１５５度の角度で谷折可能な折り目線（ｃ４、ｃ４’）を形成した。また、長方形の短辺に達した折り目線（ｃ３）の端部と折り目線（ｃ４）の端部との間、長方形の短辺に達した折り目線（ｃ３’）の端部と折り目線（ｃ４、ｃ４’）の端部との間に、左右対称に耳部（ｃ５、ｃ５’）を形成した。
【００４２】
小便受け体Ｃ’には、さらに、耳部（ｃ５、ｃ５’）の付け根は山折可能な折り目線（ｃ６、ｃ６’）を形成し、耳部（ｃ５、ｃ５’）の長さ方向の途中に山折可能な折り目線（ｃ７、ｃ７’）を形成し、折り目線（ｃ７、ｃ７’）の両先端の上方に舌片（ｃ８、ｃ８’）を形成した。
【００４３】
図６は、第四発明に係る組立式簡易小便器の一例の斜視図である。板状体Ａの中央折り目線（ａ１）を角度約４５度にして板状体Bによって固定し、この板状体Bに、折り目線を折り曲げて逆六角錐状として固定した状態を図示しており、下方空間部には小便受け容器が配置されている。この組立式簡易小便器は一個のみを設置し使用することができるほか、集まる人の数に応じて、複数個連接して設置し使用することができる。
【産業上の利用可能性】
【００４４】
本発明に係る組立式簡易小便器セットは、地震、台風、洪水、津波、雪害、火災、暴動その他の非常事態発生時における避難所や、キャンプ場、釣り場、スキー場、イベント会場などの多数の人が出入りする場所に、一個でまたは複数個を連接して設置し、使用するのに便利な組立式簡易小便器の組立用として活用できる。
【図面の簡単な説明】
【００４５】
【図１】本発明に係る組立式簡易小便器セットを構成する板状体Ａの一例の平面図である。
【図２】組立式簡易小便器セットを構成する板状体Bの一例の平面である。
【図３】組立式簡易小便器セットを構成する小便受け体Ｃの一例の平面図である。
【図４】第二発明に係る組立式簡易小便器の一例の斜視図図である。
【図５】組立式簡易小便器セットを構成する小便受け体C’の一例の平面図展開図である。
【図６】第四本発明に係る組立式簡易小便器の一例の斜視図である。
【符号の説明】
【００４６】
Ａ：板状体Ａ
Ｂ：板状体B
Ｃ、Ｃ’：小便受け体C
Ｄ：小便受け容器
ａ１、ｂ８、ｃ１、ｃ１１：中央折り目線
ａ２、ａ２’：左右折り目線
ａ３、ａ３’：切り欠き
ａ７、ａ７’：穴
ｂ１：胴部
ｂ２：台形型の頭部
ｂ３：腕部
ｂ６、ｂ６’：切欠き
ｂ７：穴
ｃ１：中央折り目線
ｃ２、ｃ２’、ｃ３、ｃ３’ｃ４、ｃ４’、ｃ６、ｃ６’ｃ７、ｃ７’、折り目線
ｃ５、ｃ５’：耳部
ｃ１２：のり代
【図１】
2007202755.tif 000003
【図２】
2007202755.tif 000004
【図３】
2007202755.tif 000005
【図４】
2007202755.tif 000006
【図５】
2007202755.tif 000007
【図６】
2007202755.tif 000008